(57)【特許請求の範囲】
【請求項１】
複数の優待情報組合せパターンにそれぞれ対応して代替先優待情報を予め記憶した代替情報テーブルと、
記録媒体に記録された優待情報を読取る優待情報読取手段と、
前記代替先優待情報を選択可能に表示する優待情報表示手段と、   
この優待情報表示手段により表示された優待情報の中から選択された前記代替先優待情報を記憶する選択優待情報記憶手段と、
この優待情報記録手段により記録された前記代替先優待情報と前記優待情報読取手段で読取った優待情報との代替が成立するか否かを前記代替情報テーブルに記憶された優待情報組合せパターンにて判定する組合せパターン判定手段と、
前記優待情報組合せパターンが成立する場合、そのパターンを構成する前記記録媒体に記録された優待情報を前記選択優待情報記憶手段で記憶された前記代替先優待情報に代替する優待情報代替手段と、
前記優待情報組合せパターンが成立しない場合、前記記録媒体に記録された優待情報を除いてそのパターンを構成するに必要な優待情報を表示する不足優待情報表示手段と、
を具備したことを特徴とする情報処理装置。
【請求項２】
前記情報処理装置の設置地点から前記各優待情報をそれぞれ発行する各店舗までの移動距離、及び前記各店舗からそれぞれ他の店舗までの移動距離を記録した店舗間距離テーブルと、
前記組合せパターン判定手段により代替は成立しないと判定された場合、前記情報処理装置の設置地点を出発して不足している優待情報を発行する店舗を全て通り再び前記情報処理装置の設置地点に戻るまでの誘導順序が複数パターンあるとき、それぞれのパターンについて前記店舗間距離テーブルを参照して移動距離の総和を算出し、移動距離が最短となるものを１つ決定する誘導順序決定手段と、
をさら具備し、この誘導順序決定手段で決定した誘導順序を前記不足優待情報表示手段により表示することを特徴とする請求項１記載の情報処理装置。
【請求項３】
前記優待情報代替手段は、前記記録媒体に記録された優待情報のなかから成立したパターンを構成する優待情報を削除し、前記記録媒体に前記代替先優待情報を記録することを特徴とする請求項１又は２記載の情報処理装置。
【請求項４】
複数の優待情報を記憶可能な記録セクションを有する記録媒体と、
前記記録媒体に記録された優待情報を読取り処理する情報処理装置とを備え、
前記情報処理装置は、
複数の優待情報組合せパターンにそれぞれ対応して代替先優待情報を予め記憶した代替情報テーブルと、
記録媒体に記録された優待情報を読取る優待情報読取手段と、
前記代替先優待情報を選択可能に表示する優待情報表示手段と、   
この優待情報表示手段により表示された優待情報の中から選択された前記代替先優待情報を記憶する選択優待情報記憶手段と、
この優待情報記録手段により記録された前記代替先優待情報と前記優待情報読取手段で読取った優待情報との代替が成立するか否かを前記代替情報テーブルに記憶された優待情報組合せパターンにて判定する組合せパターン判定手段と、
前記優待情報組合せパターンが成立する場合、そのパターンを構成する前記記録媒体に記録された優待情報を前記選択優待情報記憶手段で記憶された前記代替先優待情報に代替する優待情報代替手段と、
前記優待情報組合せパターンが成立しない場合、前記記録媒体に記録された優待情報を除いてそのパターンを構成するに必要な優待情報を表示する不足優待情報表示手段と、
を具備したことを特徴とする優待サービスシステム。
【請求項５】
前記情報処理装置は、
前記情報処理装置の設置地点から前記各優待情報をそれぞれ発行する各店舗までの移動距離、及び前記各店舗からそれぞれ他の店舗までの移動距離を記録した店舗間距離テーブルと、
前記組合せパターン判定手段により代替は成立しないと判定された場合、前記情報処理装置の設置地点を出発して不足している優待情報を発行する店舗を全て通り再び前記情報処理装置の設置地点に戻るまでの誘導順序が複数パターンあるとき、それぞれのパターンについて前記店舗間距離テーブルを参照して移動距離の総和を算出し、移動距離が最短となるものを１つ決定する誘導順序決定手段と、
をさら具備し、この誘導順序決定手段で決定した誘導順序を前記不足優待情報表示手段により表示することを特徴とする請求項４記載の優待サービスシステム。
【請求項６】
前記優待情報代替手段は、前記記録媒体に記録された優待情報のなかから成立したパターンを構成する優待情報を削除し、前記記録媒体に前記代替先優待情報を記録することを特徴とする請求項４又は５記載の優待サービスシステム。
【発明の詳細な説明】
【技術分野】
【０００１】
本発明は、顧客が所持する記録媒体に記録された優待情報を処理する情報処理装置及び優待サービスシステムに関する。
【背景技術】
【０００２】
従来から流通小売店における販売促進方法の一つとして、店舗側が顧客毎に顧客カードを発行し、顧客が商品購入時に店員にその顧客カードを提示することによって、その顧客に対し取引金額からの割引等のサービスを提供する手法がとられている。この場合、取引金額に応じたサービスポイントを店舗の情報管理サーバに記録し、次回の商品購入時に、記録されたサービスポイントに応じて割引等を行う手法等が一般的である。
【０００３】
しかし、これら割引等のサービス及びサービスポイントによる販売促進方法は、その店舗の継続利用を促進する効果が高い反面、新規顧客を集める効果は期待できなかった。これら継続利用の促進及び新規顧客の集客を実現するために、割引サービス及びポイントサービスを兼ねたサービスを提供するシステムが考案されている（例えば、特許文献１）。このシステムは、割引サービスを提供する際、店舗が定めた割引額の上限額までの範囲内で顧客が割引額を設定し、その上限額と顧客が設定した割引額との差額を顧客のポイントとして蓄積するものである。
【特許文献１】特開２００５−１２２２７３号公報
【発明の開示】
【発明が解決しようとする課題】
【０００４】
しかしながら、例えば顧客カードに記録されている複数の異なるサービスは、顧客にとって不要なものであるために使用されないまま期限が切れてしまうあるものが多くある。つまり効率的に顧客の店舗の継続利用を促進することができていない。また、商店街や複数の店舗又は売場を持つショッピングセンター等では、各店舗で発行した優待情報（例えばクーポン券等）はその店舗でのみ使用可能であることが多く、各店舗間での相乗効果を十分に奏していない場合がある。
【０００５】
本発明はこのような事情に基づいてなされたもので、その目的は、顧客の所持する記録媒体に記録された商店街や複数の店舗又は売場を持つショッピングセンター等で使用可能な複数の優待情報を有効活用することによって、顧客の店舗利用の促進及び商店街の活性化を図ることができる情報処理装置及び優待サービスシステムを提供することである。
【課題を解決するための手段】
【０００６】
本発明に係る情報処理装置は、複数の優待情報組合せパターンにそれぞれ対応して代替先優待情報を予め記憶した代替情報テーブルと、記録媒体に記録された優待情報を読取る優待情報読取手段と、前記代替先優待情報を選択可能に表示する優待情報表示手段と、この優待情報表示手段により表示された優待情報の中から選択された前記代替先優待情報を記憶する選択優待情報記憶手段と、この優待情報記録手段により記録された前記代替先優待情報と前記優待情報読取手段で読取った優待情報との代替が成立するか否かを前記代替情報テーブルに記憶された優待情報組合せパターンにて判定する組合せパターン判定手段と、前記優待情報組合せパターンが成立する場合、そのパターンを構成する前記記録媒体に記録された優待情報を前記選択優待情報記憶手段で記憶された前記代替先優待情報に代替する優待情報代替手段と、前記優待情報組合せパターンが成立しない場合、前記記録媒体に記録された優待情報を除いてそのパターンを構成するに必要な優待情報を表示する不足優待情報表示手段と、を具備したものである。
【発明の効果】
【０００７】
かかる手段を講じた本発明の情報処理装置及び優待サービスシステムによれば、顧客は不要な優待情報を自分が必要な優待情報に代替することができ、さらに優待情報が不足しているために代替できない場合でも、不足している優待情報の入手方法を容易に把握でき、不足している優待情報の入手過程及び代替した優待情報の使用過程において、顧客の店舗利用の促進及び商店街の活性化を図ることができる。
【発明を実施するための最良の形態】
【０００８】
以下、この発明を実施するための最良の形態について、図面を用いて説明する。  
なお、この実施の形態は、本発明を商店街の各店舗に適用した場合である。商店街は各店舗が提供する電子データ化された優待情報の記録媒体として、顧客に顧客カードを発行しており、そこに一つ又は複数記録された優待情報から、一つ又は複数を顧客が選択し、顧客端末装置によって他の優待情報に代替する。顧客カードに複数記録された優待情報は、顧客が商店街の各店舗やインターネット上の仮想店舗で商取引を行ったとき等に発行され、記録されたものである。
【０００９】
図１はこの実施の形態における優待サービスシステムの概略構成図である。  
このシステムは、一つ又は複数の顧客端末装置１０及び業務サーバ３０を有線もしくは無線のＬＡＮ（Local Area Network）２で相互通信可能に接続して構成する。ここに、顧客端末装置１０及び業務サーバ３０は情報処理装置を構成する。顧客は顧客カード１を所持している。この顧客カード１は、磁気カード、リライトカード、接触型ＩＣカード、非接触型ＩＣカード等を媒体としたものである。顧客端末装置１０は、各店舗又は商店街の特定の場所等、顧客が操作を行うのに適した場所に設置する。業務サーバ３０は、本発明に係るシステムの管理者等が管理できる場所に設置する。
【００１０】
顧客端末装置１０は、顧客端末装置制御部１１、カードリーダライタ２４、ディスプレイ２１及びキーボード２２等から構成される。顧客端末装置制御部１１は、業務サーバ３０との通信、カードリーダライタ２４、ディスプレイ２１及びキーボード２２の制御等を行う。カードリーダライタ２４は、顧客カード１に記録された情報の読取り及び書込みを行う。ディスプレイ２１は、顧客に対して優待情報を代替するための処理手順等を表示する。キーボード２２は、不要な優待情報の選択又は代替先の優待情報の選択等を顧客が行うためのものである。
【００１１】
業務サーバ３０には、優待詳細情報テーブルｔ１、店舗情報テーブルｔ２、発行条件テーブルｔ３、入手条件テーブルｔ４、代替情報テーブルｔ５が作成されている。業務サーバ制御部３１は、各テーブルｔ１〜ｔ５から代替先の優待情報の検索等を行う。
【００１２】
図２は、優待詳細情報テーブルｔ１に記録されたデータ構成の模式図である。識別のため、それぞれの優待情報には優待情報コードが付されている。そしてそれぞれの優待情報コードに対して対象商品、優待種別、優待内容、店舗コードが記録されている。ここで例えば、優待詳細情報テーブルｔ１において優待情報コードが「１」であれば、対象商品が「ＤＶＤプレーヤーＡ」、優待種別が「値引」、優待内容が「￥２０００」、店舗コードが「１００３」となっている。これは店舗コード「１００３」の店舗で「ＤＶＤプレーヤーＡ」を「￥２０００」「値引」するという意味である。
【００１３】
図３は、店舗情報テーブルｔ２に記録されたデータ構成の模式図である。それぞれの店舗には店舗コードが付されている。そしてそれぞれの店舗コードに対して店舗名称及び業種が記録されている。例えば、店舗コードが「１００１」であれば、店舗名称が「Ｓ１」で業種が「商店」となる。
【００１４】
図４は、発行条件テーブルｔ３に記録されたデータ構成の模式図である。それぞれの優待情報には発行の条件が課されている。これら発行条件には、発行条件コードが付されている。そして発行条件コードごとに発行条件が記録されている。例えば、発行条件コードが「Ｈ００１」であれば、発行条件が「１０：００〜１３：００までに来店」となる。
【００１５】
図５は、入手条件テーブルｔ４に記録されたデータ構成の模式図である。優待情報コードについて、優待情報を発行する店舗の店舗コード及び発行条件コードが記録されている。これら店舗コードと発行条件コードとを優待情報の入手条件とする。例えば、顧客が優待情報コード「２」の優待情報を得ようとするときは、店舗コード「１００１」の店舗において、発行条件コード「Ｈ００２」の発行条件を満たす必要がある。店舗コード「１００１」の店舗は、店舗情報テーブルｔ２より「Ｓ１」「商店」である。発行条件コード「Ｈ００２」の発行条件は、発行条件テーブルｔ３より「商品Ｇ購入時」となる。よって、優待情報コード「２」の優待情報を得るには、Ｓ１商店にて商品Ｇを購入しなければならないということが特定される。
【００１６】
図６は、代替情報テーブルｔ５に記録されたデータ構成の模式図である。それぞれの代替のパターンには、代替情報コードが付されている。そしてそれぞれの代替情報コードに対して代替先優待情報コード及び代替元優待情報コードが記録されている。ここで例えば、代替情報コードが「００１」であれば、代替先優待情報コードが「３」、代替元優待情報コードが「１，２」となっている。これは優待情報コード「１」及び「２」の二つの優待情報は、優待情報コード「３」の優待情報に代替できることを意味する。
【００１７】
図７は、顧客カード１に記録されたデータテーブルｔ６のデータ構成の模式図である。顧客カード１には、所有者の顧客ＩＤを記録する第１の記録セクションＣ１と、顧客カードの所有者が発行を受けた優待情報の優待情報コードを記録する第２の記録セクションＣ２が設けられている。第２の記録セクションＣ２には、複数の優待情報が記録可能である。
【００１８】
図８は、顧客端末装置制御部１１の構成を表すブロック図である。顧客端末装置制御部１１は、ＣＰＵ１２、ＲＯＭ１３、ＲＡＭ１４、通信インターフェース１５、表示コントローラ１６、キーボードコントローラ１７、ハードディスクコントローラ１８及びカードリーダライタコントローラ１９をアドレスバス、データバス等のバスライン２０で接続して構成する。
【００１９】
通信インターフェース１５は、ＬＡＮ２の通信回線を介して行うデータの送受信を司るものである。表示コントローラ１６は、ディスプレイ２１を制御するもので、ディスプレイ２１は、優待情報代替の処理内容の表示等を顧客に対して表示する。キーボードコントローラ１７は、キーボード２２に設置された選択キー、数値キー、決定キー等の押下を検知するものである。ハードディスクコントローラ１８は、ハードディスク２３からのデータの読込み及びハードディスク２３へのデータの書込みを行う。カードリーダライタコントローラ１９は、カードリーダライタ２４を制御するもので、カードリーダライタ２４は、顧客カード１に記録された顧客ＩＤを第１の記録セクションＣ１から、優待情報コードを第２の記録セクションＣ２から読取る。また、カードリーダライタ２４は、顧客カード１の第２の記録セクションC２に優待情報コードの書込みを行う。なお、ディスプレイ２１及びキーボード２２は顧客が行う作業に対するインターフェースであり、必ずしもこれらの形態をとる必要はない。例えば、ディスプレイ２１をタッチパネル式として顧客からの入力を検知する手段を兼ねさせ、キーボード２２を不要としてもよい。
【００２０】
図９は、業務サーバ制御部３１の構成を表すブロック図である。業務サーバ制御部３１は、ＣＰＵ３２、ＲＯＭ３３、ＲＡＭ３４、通信インターフェース３５、表示コントローラ３６、キーボードコントローラ３７、ハードディスクコントローラ３８をアドレスバス、データバス等のバスライン３９で接続して構成してある。
【００２１】
通信インターフェース３５は、ＬＡＮ２の通信回線を介して行うデータの送受信を司るものである。表示コントローラ３６は、ディスプレイ４０を制御するもので、ディスプレイ４０は、各テーブルｔ１〜ｔ５の変更等に必要な情報等を業務サーバ３０の管理者に対して表示する。キーボードコントローラ３７は、キーボード４１に設置された入力キーの押下を検知する。ハードディスクコントローラ３８は、ハードディスク２３に記録された電子データの読込み又は書込み等を行う。なお、各テーブルｔ１〜ｔ５はハードディスク４２に記録されている。
【００２２】
次に、顧客が顧客カード１の第１の記録セクションＣ１に記録された複数の優待情報コードに対応する優待情報を別の優待情報に代替することを要求し、顧客端末装置１０が代替先の優待情報の優待情報コードを顧客カード１に記録するか、又は不足している優待情報の入手手段を顧客に提示するまでの処理を説明する。
【００２３】
まず顧客は顧客端末装置１０が設置された場所へ行き、カードリーダライタ２４に顧客カード１を挿入する。  
図１０にそのとき顧客端末装置１０のＣＰＵ１２が行う処理の流れを示す。この処理をＣＰＵ１２が行うためのプログラムは、ＲＯＭ１３に記録されている。また、優待詳細情報テーブルｔ１、店舗情報テーブルｔ２及び発行条件テーブルｔ３は、業務サーバ３０から顧客端末装置１０のハードディスク２３に、予めダウンロードしておく。
【００２４】
まず、ＣＰＵ１２は、ＳＴ１０１としてカードリーダライタ２４への顧客カード１の挿入を待機している。カードリーダライタ２４に顧客カード１が挿入されると、ＣＰＵ１２は、ＳＴ１０２としてカードリーダライタコントローラ１９を介してカードリーダライタ２４を制御し、顧客カード１の第２の記録セクションＣ２に記録された全ての優待情報コードを読取り、ＲＡＭ１４に格納する（優待情報読取手段）。ＳＴ１０２の処理が完了すると、ＣＰＵ１２は、ＳＴ１０３としてハードディスク２３に格納されている優待詳細情報テーブルｔ１に記録された全ての優待情報を、ディスプレイ２１に表示する（優待情報表示手段）。同時にその実施店舗も店舗情報テーブルｔ２から検索し、ディスプレイ２１に表示する。
【００２５】
顧客はディスプレイ２１に表示された優待情報の中から代替先にする優待情報（以下代替先優待情報と呼ぶ）を、キーボード２２からの入力によって選択する。顧客は選択を行わない場合、例えばキーボード２２に設けられた終了釦を押下する。
【００２６】
ＣＰＵ１２は、ＳＴ１０４としてこの選択の有無を検知する。キーボード２２からの入力による選択を検知せず、終了釦の押下をキーボードコントローラ１７を介して検知した場合、ＣＰＵ１２は、ＳＴ１０５としてカードリーダライタコントローラ１９を介してカードリーダライタ２４を制御し、顧客カード１を排出する。選択を検知した場合、ＲＡＭ１４に選択された代替先優待情報の優待情報コードを記録し、その後ＣＰＵ１２は、ＳＴ１０６として顧客カード１に記録された優待情報コードに対応する優待情報を優待詳細情報テーブルｔ１から検索し、ディスプレイ２１に表示する。そして顧客は、代替を行うか否かをキーボード２２からの入力により指令する。顧客は指令を行わない場合、例えばキーボード２２に設けられた終了釦を押下する。
【００２７】
ＣＰＵ１２は、ＳＴ１０７としてこの指令の有無を検知する。キーボード２２からの入力による指令を検知せず、終了釦の押下をキーボードコントローラ１７を介して検知した場合、ＣＰＵ１２は、ＳＴ１０５の処理を実行する。指令を検知した場合、ＣＰＵ１２は、ＳＴ１０８としてＳＴ１０２の処理において顧客カード１から読取った優待情報コードとＳＴ１０４の処理において選択された代替先優待情報の優待情報コードとを通信インターフェース１５を介して業務サーバ３０に送信し、このプログラムを終了する。
【００２８】
図１１は、ＳＴ１０３の処理にてディスプレイ２１に表示された優待情報一覧の一例である。優待詳細情報テーブルｔ１に記録された全ての優待情報を、顧客が視認できるように表示する。例えば、優待詳細情報テーブルｔ１の優待情報コード「１」の場合、ディスプレイ２１には、「ＤＶＤプレーヤーＡ」が「\２０００」「ｏｆｆ」（値引）であり、それが「Ｓ３電器店」の優待情報である旨表示する。ここで表示した優待情報の中に欲しいものがある場合、代替先優待情報として顧客は、その優待情報に「（１）」、「（２）」のように付された優待情報コードをキーボード２２からの入力によって、一つ選択する。
【００２９】
図１２は、ＳＴ１０６の処理にてディスプレイ２１に表示された優待情報一覧の一例である。顧客カード１に記録されていた優待情報コードに対応する優待情報及び店舗情報を、顧客が視認できるように表示する。
【００３０】
図１３にＳＴ１０８の処理にて送信された代替先優待情報及び不要優待情報の各優待情報コードを業務サーバ３０が受信したとき、業務サーバ３０のＣＰＵ３２が行う処理の流れを示す。この処理をＣＰＵ３２が行うためのプログラムは、ＲＯＭ３３に記録されている。
【００３１】
まずＣＰＵ３２は、ＳＴ２０１として顧客端末装置１０からの顧客カード１から読取った優待情報コード及び代替先優待情報の優待情報コードの受信を待機している。通信インターフェース１５を介して各優待情報コードを受信すると、ＣＰＵ３２は、それらをＲＡＭ３４に格納する（選択優待情報記憶手段）。そしてＣＰＵ３２は、ＳＴ２０２として顧客カード１から読取った優待情報コードの中に代替先優待情報コードが含まれているかどうかを判断する。含まれている場合、すなわち、顧客が既に自身の顧客カード１に記録されている優待情報を代替先優待情報として選択した場合には、ＣＰＵ３２は、ＳＴ２０３として通信インターフェース３５を介し、顧客端末装置１０に予め定められた信号を送信する。この信号を受信した顧客端末装置１０のＣＰＵ１２が行う処理は後述する。
【００３２】
顧客カードから読取った優待情報コードの中に代替先優待情報コードが含まれていない場合、ＣＰＵ３２は、ＳＴ２０４として代替先優待情報コードを得るための代替パターン（代替元優待情報コードの組合せ）を検索する。この検索は、代替情報テーブルｔ５に記録された代替情報コード毎に、それに対応する代替先優待情報コードがＳＴ２０１の処理にてＲＡＭ３４に記録された代替先優待情報コードと一致するか否かを判定することにより行う。両代替先優待情報コードが一致した場合、その代替情報コードをＲＡＭ３４に記録する。そして、ＣＰＵ３２は、ＳＴ２０５としてＲＡＭ３４にＳＴ２０１の処理にて記録した優待情報コードでＳＴ２０４の処理にて記録した代替情報コードの組合せパターンが成立するか否かを判定する。すなわち、ＳＴ２０４の処理にてＲＡＭ３４に記録した代替情報コード毎に、それに対応する代替元優待情報コードの全てが、顧客カード１から読取った優待情報コードに含まれているか否かを判定する（組合せパターン判定手段）。
【００３３】
含まれていた場合、ＣＰＵ３２は、ＳＴ２０６として通信インターフェース３５を介し、顧客端末装置１０に代替可能である代替パターンを送信し、このプログラムを終了する。この代替パターンを受信してから顧客端末装置１０のＣＰＵ１２が行う処理については後述する。
【００３４】
含まれていなかった場合、ＣＰＵ１２は、ＳＴ２０７として入手条件テーブルｔ４から不足優待情報（顧客カード１から読取った優待情報コードに含まれていないが代替先優待情報に代替するために必要である優待情報）の入手条件として、店舗コード及び発行条件コードを検索する。検索結果はＲＡＭ３４に記録する。検索が終了すると、ＣＰＵ３２は、ＳＴ２０８として顧客端末装置１０に不足優待情報の優待情報コード、店舗コード及び発行条件コードを送信し、このプログラムを終了する。
【００３５】
図１４に優待情報の代替パターンの一例を示す。優待情報ａ〜ｈを優待情報群Ｌ１、優待情報ｉ〜ｋを優待情報群Ｌ２、優待情報ｌ，ｍを優待情報群Ｌ３とする。また、優待情報群Ｌ１を最下位の優待情報とする。最下位の優待情報とは、他の優待情報との代替によっては得ることはできず、店舗等でのみ発行される優待情報である。上位の優待情報は、店舗での発行に限らず、下位の優待情報の組合せとの代替によって入手可能なものである。
【００３６】
優待情報群Ｌ２は、下位の優待情報群Ｌ１に属する優待情報の組合せと代替可能である。例えば、優待情報ｉは、優待情報ａ〜ｃと代替される。優待情報群Ｌ３は、下位の優待情報群Ｌ１，Ｌ２に属する優待情報の組合せと代替可能である。例えば、優待情報ｌは、優待情報ｃ，ｉ，ｊと代替される。さらに優待情報ｎは最上位の優待情報であり、下位の優待情報群Ｌ１〜Ｌ３に属する優待情報の組合せと代替可能である。例えば、優待情報ｌ，ｍと代替される。このように、下位の各優待情報はその組合せにより上位の優待情報へと代替可能となる。この例に限らずさらに上位の優待情報を設けてもよい。
【００３７】
ここで、例えばＳＴ１０４の処理で顧客が選択した代替先優待情報が、優待情報ｎであり、ＳＴ１０２の処理にて顧客カード１から読取った優待情報がｃ，ｉ，ｊ，ｍであるとする。この場合、ＳＴ２０４の処理において、ＣＰＵ３２は、まず優待情報ｎの下位の優待情報を検索する。つまり、代替情報テーブルｔ５から代替先優待情報が優待情報ｍである代替情報についての代替元優待情報コードを検索する。その結果、優待情報ｌ，ｍが代替元優待情報であることを検出する。そしてＣＰＵ３２は、顧客カード１から読取った優待情報が優待情報ｌ，ｍを有しているかどうかを判断する。
【００３８】
しかし、顧客カード１から読取った優待情報は優待情報ｍを有しているが、優待情報ｌを有していない。ここで、ＣＰＵ３２は、代替情報テーブルｔ５から代替先優待情報が優待情報ｌである代替情報についての代替元優待情報コードを検索する。その結果、優待情報ｃ，ｉ，ｊが代替元優待情報であることを検出する。そしてＣＰＵ３２は、顧客カードから読取った優待情報が優待情報ｃ，ｉ，ｊを有しているかどうかを判断する。顧客カード１から読取った優待情報は優待情報ｃ，ｉ，ｊを有しているので、顧客カード１から読取った優待情報の組合せと代替先優待情報とを代替することが可能であると特定される。また、優待情報ｍについても下位の優待情報群により代替可能でないかを検索する。このようにして特定される全ての代替パターンを、ＳＴ２０６の処理にて顧客端末装置１０に送信する。また、全て代替不可能であったとしても、各代替パターンの不足優待情報を特定し、ＳＴ２０８の処理にて顧客端末装置１０に送信する。
【００３９】
図１５に、ＳＴ２０３の処理で送信された信号を顧客端末装置１０が受信したとき、顧客端末装置１０のＣＰＵ１２が行う処理の流れを示す。この処理をＣＰＵ１２が行うためのプログラムは、ＲＯＭ１３に記録されている。
【００４０】
まずＣＰＵ１２は、ＳＴ３０１として業務サーバ３０から送信される信号の受信を待機している。通信インターフェース１５を介して信号を受信すると、ＣＰＵ１２は、ＳＴ３０２として表示コントローラ１６を介してディスプレイ２１を制御し、顧客は既に、選択した代替先優待情報を所有している旨を表示する。そしてＣＰＵ１２は、ＳＴ３０３としてカードリーダライタコントローラ１９を介してカードリーダライタ２４を制御して顧客カード１を排出しこのプログラムを終了する。
【００４１】
図１６に、ＳＴ２０６の処理にて送信された代替パターンを顧客端末装置１０が受信したとき、顧客端末装置１０のＣＰＵ１２が行う処理の流れを示す。この処理をＣＰＵ１２が行うためのプログラムは、ＲＯＭ１３に記録されている。
【００４２】
まずＣＰＵ１２は、ＳＴ４０１として業務サーバ３０から送信される代替パターンの受信を待機している。通信インターフェース１５を介して代替パターンを受信すると、それらをＲＡＭ１４に記録する。そしてＣＰＵ１２は、ＳＴ４０２として表示コントローラ１６を介してディスプレイ２１を制御し、ＲＡＭ１４に記録した代替パターンを表示する。このとき、複数の代替パターンがＳＴ２０４の処理にて発見されていれば、それらを全て表示する。
【００４３】
代替パターンが複数ある場合の一例を図１４の代替パターンを用いて説明する。優待情報ｃ，ｉ，ｊ，ｌ，ｍが記録された顧客カード１を所持する顧客が、代替先優待情報として優待情報ｎを選択した場合、代替元優待情報となり得る組合せは、優待情報ｌ，ｍ又は優待情報ｃ，ｉ，ｊ，ｍの２通りが考えられる。このような場合にはＳＴ２０６の処理にて双方の代替パターンが顧客端末装置１０に送信されることとなる。
【００４４】
ディスプレイ２１に表示された代替パターンを確認した顧客は、その中から一つを選択する。ここではディスプレイ２１に表示された代替パターンが一つのときは代替を行うかどうかを選択し、複数のときは代替を行うかどうか、また、行うのであればどの代替パターンにて行うか、をキーボード２２からの入力によって選択する。顧客は代替を行わない場合、例えばキーボード２２に設けられた終了釦を押下する。
【００４５】
ＣＰＵ１２は、ＳＴ４０３としてこの選択の有無を検知する。キーボード２２からの入力により代替を行う旨の選択を、キーボードコントローラ１７を介して検知した場合、ＣＰＵ１２は、ＳＴ４０４としてカードリーダライタコントローラ１９を介してカードリーダライタ２４を制御し、顧客カード１の第２の記録セクションC２に記録された優待情報の内、選択された代替パターンにかかる代替元優待情報コードを削除する。さらに、ＣＰＵ１２は、ＳＴ４０５として顧客カード１の第２の記録セクションC２に、代替先優待情報コードを記録する。ここに、ＳＴ４０４及びＳＴ４０５のステップにてＣＰＵ１２がカードリーダライタコントローラ１９を介し、カードリーダライタ２４を制御して行う処理は、優待情報代替手段を構成する。そしてＣＰＵ１２は、ＳＴ４０６としてカードリーダライタコントローラ１９を介してカードリーダライタ２４を制御し、顧客カード１を排出する。そしてＣＰＵ１２は、このプログラムを終了する。
【００４６】
ＳＴ４０３の処理にてキーボード２２からの入力により代替を行う旨の選択を、キーボードコントローラ１７を介して検知せず、終了釦の押下をキーボードコントローラ１７を介して検知した場合、ＣＰＵ１２は、ＳＴ４０６の処理を実行して顧客カード１を排出し、このプログラムを終了する。
【００４７】
図１７に、ＳＴ２０８の処理で顧客端末装置１０に送信された不足優待情報の優待情報コード、店舗コード及び発行条件コードを顧客端末装置１０が受信したとき、顧客端末装置１０のＣＰＵ１２が行う処理の流れを示す。この処理をＣＰＵ１２が行うためのプログラムは、ＲＯＭ１３に記録されている。
【００４８】
まずＣＰＵ１２は、ＳＴ５０１として業務サーバ３０から送信される不足優待情報の優待情報コード、店舗コード及び発行条件コードの受信を待機している。通信インターフェース１５を介して不足優待情報の優待情報コード、店舗コード及び発行条件コードを受信すると、それらをＲＡＭ１４に記録する。そしてＣＰＵ１２は、ＳＴ５０２としてＲＡＭ１４に記録した不足優待情報の優待情報コード、店舗コード及び発行条件コードに対応する優待情報、店舗情報及び発行条件を各テーブルｔ１〜ｔ３から検索し、表示コントローラ１６を介してディスプレイ２１に表示する（不足優待情報表示手段）。ＳＴ５０２の処理の終了とともにＣＰＵ１２は、ＳＴ５０３としてカードリーダライタコントローラ１９を介してカードリーダライタ２４を制御し、顧客カード１を排出する。そしてＣＰＵ１２は、このプログラムを終了する。
【００４９】
図１８は、ＳＴ５０２の処理にてディスプレイ２１に表示された不足優待情報の優待情報、店舗情報及び発行条件の一例である。ＳＴ２０４の処理にて検索した代替パターンがパターンＰ１〜Ｐ３の３通りあるとき、ディスプレイ２１には、パターンＰ１〜Ｐ３における不足優待情報が一覧できるように、「不足優待情報パターン」を表示する。各優待情報には「（５）」、「（６）」のように優待情報コードを付している。さらに不足優待情報の優待内容等，実施店舗及び発行条件を、顧客が視認できるように表示する。例えばパターンＰ３の優待情報「（５）」の場合、「ラーメンＣ」が「３０％」「ｏｆｆ」（割引）であり、それが「Ｓ１商店」にて「発行条件：１２：００〜１５：００に来店」の条件を満たしたときに入手可能である旨表示する。
【００５０】
このようにして顧客は、記録媒体に記録された優待情報を所望する優待情報に交換することができる。また、優待情報が不足しており、代替できない場合には、不足している優待情報、その発行店舗及び発行条件をディスプレイ２１に表示することにより、顧客は不足している優待情報及びその入手方法を把握可能となる。その結果、顧客は不足優待情報の入手又は代替先優待情報の使用のために店舗利用の機会が増え、商店街が活性化される。
【００５１】
なお、本実施の形態では、ＳＴ５０２にて不足優待情報、店舗情報及び発行条件等をディスプレイ２１に表示することで顧客に報知したが、これを他の方法に代えてもかまわない。例えば、顧客端末装置１０に発券用プリンタを設け、用紙にプリントすることによって顧客に報知するようにする。この場合、顧客端末装置制御部１１に新たにプリンタコントローラを設け、それを介して発券用プリンタを設置する。さらに、この発券用プリンタで優待情報に基づく割引券等を発行できるようにしてもよい。若しくは、顧客カード１に不足優待情報の優待情報コードを記録する第３の記録セクションＣ３を設け、ＳＴ５０３の処理の実行前に顧客カード１に記録するようにしてもよい。そして新たに第３の記録セクションＣ３に記録された優待情報を読取る読取手段及びその内容の表示手段を顧客端末装置１０がさらに具備するよう構成する。係る手段を講じれば、顧客は再びＳＴ１０１〜５０３までの処理を経ることなく、不足優待情報を確認することができる。
【００５２】
また、本実施の形態では顧客ＩＤ及び優待情報コードを記録するための記録媒体は、磁気カード、リライトカード、接触型ＩＣカード、非接触型ＩＣカード等による顧客カード１であるとしたが、他の記録媒体であってもよい。例えば、携帯電話又はＰＨＳのデータ記録用メモリに優待情報を記録する方法が考えられる。この場合、顧客端末装置１０のカードリーダライタ２４に代え、携帯電話又はＰＨＳからの無線通信（赤外線通信等）を受信可能な無線通信部を設置する。さらに、顧客が優待情報を入手可能なサイトを構築し、顧客がそのサイトから優待情報を入手可能とすれば、多くの顧客に優待情報を配布できる。そしてサイトから入手した優待情報と、店舗での商取引時に発行される優待情報との組合せ等を新たな優待情報と代替できるように代替情報テーブルｔ５を構成する。係る手段を講じれば、新規顧客の取込み及び継続利用の促進の双方が期待できる。
【００５３】
また、顧客カード１の第１の記録セクションＣ１に記録された顧客ＩＤ及び優待情報代替時の代替先優待情報コード等を業務サーバ３０のハードディスク２３に記録管理し、その後の優待情報発行に反映するようにしてもよい。例えば、代替情報テーブルｔ５の一部を顧客ごとに変化させ、店舗Ｓ１の優待情報への優待情報代替の頻度が高い顧客には、店舗Ｓ１の代替先優待情報を多く用意する。係る手段を講じれば、顧客のニーズにより合致した優待情報を提供することができるため、より顧客の店舗利用を促進できる。
【００５４】
また、ＳＴ２０６の処理にて顧客が選択した不要優待情報と代替先優待情報との代替が不可能な場合、ＳＴ２０７の処理にて入手条件の検索のみならず、ＣＰＵ３２が不足優待情報の最適な入手経路を検索し、ＳＴ５０２の処理にてディスプレイ２１に表示するようにしてもよい（入手順序決定手段）。この最適な入手経路の選択には例えば、店舗間距離テーブルｔ７を用いる。店舗間距離テーブルｔ７は、店舗情報テーブルｔ２に記録された各店舗及び顧客端末装置１に対して１つずつ作成され、ある店舗から他の店舗までの距離が記録されたものである。
【００５５】
図１９は、この店舗間距離テーブルｔ７に記録されたデータ構成の一例である。これは各店舗から他店舗への移動距離を記録したものである。誘導元店舗コードは、顧客端末装置１及び誘導元の店舗の店舗コードである。誘導先店舗コードは、誘導元店舗以外の店舗の店舗コードである。そしてそれぞれの誘導元店舗コードに対応する店舗及び誘導先店舗コードに対応する店舗までの移動距離が記録されている。例えば、誘導元店舗コード「１００１」及び誘導先店舗コード「１００２」の場合、移動距離は「３０ｍ」と記録されている。すなわち、店舗コード「１００１」に対応する店舗から店舗コード「１００２」に対応する店舗までの移動距離は、３０ｍであると特定されることとなる。顧客端末装置１は店舗コード「００００」として記録している。
【００５６】
ここで、不足優待情報が３つあり、ＳＴ２０７の処理にてそれらの入手先店舗として、店舗コード「１００１」、「１００２」及び「１００３」の店舗が特定されたとする。このとき、店舗コード「１００１」に対応する店舗から店舗コード「１００２」に対応する店舗までの距離をＸ１、店舗コード「１００２」に対応する店舗から店舗コード「１００３」に対応する店舗までの距離をＸ２、店舗コード「１００３」に対応する店舗から店舗コード「１００１」に対応する店舗までの距離をＸ３とし、顧客端末装置１の設置場所から各店舗コード「１００１」，「１００２」及び「１００３」に対応する店舗までの距離をそれぞれＹ１，Ｙ２及びＹ３とする。このとき、顧客端末装置１の設置場所を出発し、各店舗を通って再び顧客端末装置１に戻る道順の組合せは６通りある。ＣＰＵ３２は、これら６通りの道順における距離の総和を計算する。すなわち、店舗コード「１００１」，「１００２」，「１００３」に対応する店舗の順に誘導する場合であれば、距離Ｙ１，Ｘ１，Ｘ２，Ｙ３の総和を計算する。このとき例えば、距離Ｘ１であれば、店舗間距離テーブルｔ７より３０ｍと特定される。
【００５７】
このように全ての道順について距離の総和を計算した後、ＣＰＵ３２は、その中から最小のものを選択し、ＳＴ２０８の処理にてその道順と同順で店舗コードに誘導順位を付し、顧客端末装置１に送信する（誘導順序決定手段）。これをＳＴ５０１の処理にて顧客端末装置１が受信したとき、ＣＰＵ１２は、それらをＲＡＭ１４に記録し、ＳＴ５０２の処理にて誘導順位及びその店舗コードに対応した店舗名称をディスプレイ２１に表示する。係る手段を講じれば、顧客は円滑に各店舗にて優待情報を入手可能となり、本発明にかかる顧客誘導システムの継続利用が期待できる。
【００５８】
この他、前記実施形態に開示されている複数の構成要素の適宜な組合せにより種々の発明を形成できる。例えば、実施形態に示される全体構成要素から幾つかの構成要素を削除してもよい。さらに、異なる実施形態に亘る構成要素を組合せてもよい。
【図面の簡単な説明】
【００５９】
【図１】本発明の一実施の形態である優待サービスシステムの概略構成図。
【図２】同実施の形態における優待詳細情報テーブルに記録されたデータ構成の模式図。
【図３】同実施の形態における店舗情報テーブルに記録されたデータ構成の模式図。
【図４】同実施の形態における発行条件テーブルに記録されたデータ構成の模式図。
【図５】同実施の形態における入手条件テーブルに記録されたデータ構成の模式図。
【図６】同実施の形態における代替情報テーブルに記録されたデータ構成の模式図。
【図７】同実施の形態における顧客カードのデータテーブルに記録されたデータ構成の模式図。
【図８】同実施の形態における顧客端末装置制御部の構成を表すブロック図。
【図９】同実施の形態における業務サーバの構成を表すブロック図。
【図１０】同実施の形態において顧客カードが挿入された際に顧客端末装置のＣＰＵが行う処理の流れ図。
【図１１】同実施の形態において顧客端末装置のディスプレイに表示された優待情報一覧の一例を示す図。
【図１２】同実施の形態において顧客カードから読取り、顧客端末装置のディスプレイに表示された優待情報一覧の一例を示す図。
【図１３】同実施の形態において業務サーバのＣＰＵが代替先優待情報等の優待情報コードを受信した際に行う処理の流れ図。
【図１４】同実施の形態における代替パターンの一例を示す図。
【図１５】同実施の形態において顧客端末装置のＣＰＵが業務サーバから送信された信号を受信した際に行う処理の流れ図。
【図１６】同実施の形態において顧客端末装置のＣＰＵが代替パターンを受信した際に行う処理の流れ図。
【図１７】同実施の形態において顧客端末装置のＣＰＵが不足優待情報の優待情報コード等を受信した際に行う処理の流れ図。
【図１８】同実施の形態において顧客カードから読取り、顧客端末装置のディスプレイに表示された不足優待情報等の一例を示す図。
【図１９】同実施の形態における店舗間距離テーブルに記録されたデータ構成の模式図。
【符号の説明】
【００６０】
１…顧客カード、２…ＬＡＮ、１０…顧客端末装置、１１…顧客端末装置制御部、１２…ＣＰＵ、２１…ディスプレイ、２２…キーボード、２３…ハードディスク、２４…カードリーダライタ、３０…業務サーバ、３１…業務サーバ制御部、３２…ＣＰＵ、ｔ１…優待詳細情報テーブル、ｔ２…店舗情報テーブル、ｔ３…発行条件テーブル、ｔ４…入手条件テーブル、ｔ５…代替情報テーブル、ｔ７…店舗間距離テーブル、Ｃ１…第１の記録セクション、Ｃ２…第２の記録セクション
【図１】
0004464430.tif 000002
【図２】
0004464430.tif 000003
【図３】
0004464430.tif 000004
【図４】
0004464430.tif 000005
【図５】
0004464430.tif 000006
【図６】
0004464430.tif 000007
【図７】
0004464430.tif 000008
【図８】
0004464430.tif 000009
【図９】
0004464430.tif 000010
【図１０】
0004464430.tif 000011
【図１１】
0004464430.tif 000012
【図１２】
0004464430.tif 000013
【図１３】
0004464430.tif 000014
【図１４】
0004464430.tif 000015
【図１５】
0004464430.tif 000016
【図１６】
0004464430.tif 000017
【図１７】
0004464430.tif 000018
【図１８】
0004464430.tif 000019
【図１９】
0004464430.tif 000020